(57)【要約】      （修正有）【課題】簡単な構成で、温泉などの湯あたりを防止できる積算示温器を提供する。【解決手段】長手方向一端から他端に行くに従って横幅が漸減したテーパ状平面形状を有する短冊形ワックス吸収体の幅広側端部にあらかじめ設定されたほぼ４０℃で融解を開始するワックスに顔料を分散せしめた顔料入りワックスを重畳し、該ワックス吸収体と顔料入りワックスの表面全体を透明フィルムで被覆せしめたラベルを備え、該ラベルをバンドに着脱自在に設けたことを特徴とする積算示温度器。【選択図】図１
0003142060.tif 000002
【実用新案登録請求の範囲】
【請求項１】
長手方向一端から他端に行くに従って横幅が漸減したテーパ状平面形状を有する短冊形ワックス吸収体の幅広側端部にあらかじめ設定されたほぼ４０℃で融解を開始するワックスに顔料を分散せしめた顔料入りワックスを重畳し、該ワックス吸収体と顔料入りワックスの表面全体を透明フィルムで被覆せしめたラベルを備え、該ラベルをバンドに着脱自在に設けたことを特徴とする積算示温度器。
【請求項２】
ワックス吸収体が和紙であることを特徴とする請求項１記載の積算示温度器。
【請求項３】
ワックスが直鎖状炭化水素を主体とすることを特徴とする請求項１記載の積算示温度器。
【考案の詳細な説明】
【技術分野】
【０００１】
本考案は、特定の温度（ほぼ４０℃）において温泉浴等で経時的に受ける熱の総量を積算して表示する機能を持つ熱量積算表示ラベルを用いた積算示温度器に関する。
【背景技術】
【０００２】
日本には数万にも及ぶ温泉があり、手ごろに広く親しまれている。こうした温泉を利用して医療としての温泉療法も行われている。温泉療法において、入浴により受けた熱の総量（積算値）を簡単に知ることはできず、ある時間以上入浴すると湯あたりしたり、のぼせたりして身体に負担となる可能性がある。また、温度管理のために、所定の温度を超えると変色によってその旨を知らせるようにしたインジケータが提案されている（特許文献１：特開２００７−１０１４６９号公報）。しかしながら、４０℃程度の温度で順次変色領域が変化する積算示温度器は提案されていない。
【特許文献１】特開２００７−１０１４６９号公報
【考案の開示】
【考案が解決しようとする課題】
【０００３】
従って、本願考案は、上記問題点に鑑みてなされたもので、入浴により受けた熱の総量（積算値）を簡便な方法で知ることができる積算示温度器を提供することを目的とするものである。
【課題を解決するための手段】
【０００４】
上記目的を達成するために、本考案の積算示温度器は、長手方向一端から他端に行くに従って横幅が漸減したテーパ状平面形状を有する短冊形ワックス吸収体の幅広側端部にあらかじめ設定されたほぼ４０℃で融解を開始するワックスに顔料を分散せしめた顔料入りワックスを重畳し、該ワックス吸収体と顔料入りワックスの表面全体を透明フィルムで被覆せしめたラベルを備え、該ラベルをバンドに着脱自在に設けたことを特徴とする。また、ワックス吸収体が和紙であることを特徴とする。また、ワックスが直鎖状炭化水素を主体とすることを特徴とする。
【考案の効果】
【０００５】
本考案の積算示温度器によれば、入浴により受けた熱の総量（積算値）を簡便な方法で簡単に知ることができる。ワックス吸収体には横幅方向にテーパが形成されているので、熱量積算値と発色量との相関関係を自由に調整することができ、よりチェックしやすい表示ラベルとすることができる。更に、構造も極めて簡単で、耐久性にも富み、低コストで生産でき、高い実用的価値を有するものである。
【考案を実施するための最良の形態】
【０００６】
以下、添付図面に基づいて本考案の積算示温度器を説明するが、適宜変更が可能であり、実施例に限定されるものではない。
【０００７】
図１において、（ａ）はこの考案に係る熱量積算表示ラベルを備えた積算示温度器の一実施形態の平面図、（ｂ）はこの考案に係る熱量積算表示ラベルを備えた積算示温度器の一実施形態の断面図、（ｃ）はこの考案に係る熱量積算表示ラベルの色調の変化を示す平面図である。
【０００８】
図１（ａ），（ｂ）において、１は、シート状をした基材３上に重畳された短冊型をなしたワックス吸収体であり、長手方向一端から他端に行くに従って横幅が漸減したテーパ状平面形状をなしており、融解したワックスが染み込みやすい性質を持った素材である和紙や吸い取り紙、濾紙等からなっている。また、ワックス吸収体１，顔料入りワックス２，基板３，透明フィルム５，ループ状面ファスナ４からなる熱量積算表示ラベルは、合成樹脂性バンド５のフック状面ファスナ７上に着脱自在にもうけられている。なお、腕や足首などに積算示温度器１００を巻きつけて固定するために合成樹脂性バンド５の端部にフック状面ファスナ（係止部）６ａ、ループ状フック状面（係止部）６ｂが設けられている。
【０００９】
そして、このワックス吸収体１の幅広側端部には、予め設定された温度、たとえば４０℃で融解を開始するワックス、好ましくはパラフィンワックスの中に顔料を分散させた顔料入りワックス２が重畳されており、これら顔料入りワックス２及びワックス吸収体１の表面側全体は透明フィルム５で覆われ、基板３の裏面にはループ状面ファスナ４が形成されている。また、目盛り１ａが、２０分，３０分，４０分，６０分となるように設けられている。顔料入りワックス２の発色部分１２の先端が２０分の目盛りのところに到達すると４０℃で２０分経過したことになり、顔料入りワックス２の発色部分１２の先端が４０分の目盛りのところに到達すると４０℃で４０分経過したことになり、顔料入りワックス２の発色部分１２の先端が６０分の目盛りのところに到達すると４０℃で６０分経過したことになる。
【００１０】
即ち、使用者が例えば積算示温度器１００を手首に巻き付けて温泉に入り、積算示温度器１００を温泉に浸るようにすると、設定されて温度、例えば４０℃に達すると、顔料入りワックス２は融解し始め、ワックス吸収体１に染み込む。顔料入りワックス２は横幅が漸減したテーパ状のワックス吸収体１の幅広側端部に位置しているので、時間（分）の経過と共に融解した顔料入りワックス２はワックス吸収体１の長手方向他端に向って染み込み、その面積を増して行き、それに伴い、（ｃ）に示す様に、ワックス吸収体１の発色部分１２は図中右方向に増大する。
【００１１】
なお、一般に、顔料入りワックス２の原位置（図１（ａ）及び図１（ｂ）において左端）から離れるに従って、融解した顔料入りワックス２のワックス吸収体１への浸透スピードは低下するが、この実施の形態においては、ワックス吸収体１はその横幅がテーパ状に漸減しているので、顔料入りワックス２の見掛け上の浸透スピードは低下しない。つまり、顔料入りワックス１の浸透面積も、その原位置から離隔するに従って小さくなっているので、発色部分１２の拡大スピードは温度に比例してほぼ一定となっている。この様に、ワックス吸収体１の横幅のテーパ角度を調整することにより、熱量積算値と発色量との関係を自由に変更できるのである。対象物体の温度が設定温度以下に低下すると、顔料入りワックス２は固化し、ワックス吸収体１への浸透は一時停止されるが、対象物体の温度が再び設定温度を超えると、顔料入りワックス２は再び融解し、ワックス吸収体１の染み込み面積は増大し、発色部分１２も拡大する。
【００１２】
このようにして、対象物体の温度が設定温度を超すたびごとに、ワックス吸収体１の顔料入りワックス２の浸透面積つまり発色部分１２は拡大し続ける。この際、顔料入りワックス２は単に融解するだけではなく、温度が高くなるに従ってその粘度は低下するので対象物体の温度が高いとき程、顔料入りワックス２の浸透スピードは早くなる。
【００１３】
従って、ワックス吸収体１の発色部分１２の大きさと対象物体に経時的に加えられた熱の総量とは相関関係を持ち、発色部分１２の大きさから経時的に加えられた熱の積算値を知ることができる。不可逆的に設定温度超過の事実を表示する既存の各種不可逆的感温ラベル１３と組合せて使用しても良く、この場合には設定温度超過の事実と熱量積算値の両方を知ることができ、より適切な温度管理が可能となる。
【図面の簡単な説明】
【００１４】
【図１】（ａ）この考案に係る熱量積算表示ラベルを備えた積算示温度器の一実施形態の平面図、（ｂ）はこの考案に係る熱量積算表示ラベルを備えた積算示温度器の一実施形態の断面図、（ｃ）はこの考案に係る熱量積算表示ラベルの色調の変化を示す平面図である。
【符号の説明】
【００１５】
１ ワックス吸収体、２ 顔料入りワックス、３ 基板、４  ループ状面ファスナ、５ 透明フィルム、１２ 発色部分
【図１】
0003142060.tif 000003